(57)【要約】【課題】  本発明は、仕掛けが潮流に乗り易く、又アタリをミチ糸に正確に伝えることができる釣糸連結具を提供することを課題とする。【解決手段】  連結具本体２にミチ糸を結ぶミチ糸接続部３とハリスを結ぶハリス接続部５が形成され、連結具本体２の比重がミチ糸と略同比重に形成されている釣糸連結具を解決手段とする。この連結具本体２には、ハリス接続部５からミチ糸接続部３に向かって次第に拡がる傾斜部６が形成され、ミチ糸接続部３の近傍に水流抵抗部７が形成されている。【選択図】      図１
2005192507.tif 000002
【特許請求の範囲】
【請求項１】
連結具本体に、ミチ糸を結ぶミチ糸接続部とハリスを結ぶハリス接続部が形成され、前記連結具本体の比重がミチ糸の比重の０．９〜１．２倍とされていることを特徴とする釣糸連結具。
【請求項２】
連結具本体に、ミチ糸を結ぶミチ糸接続部とハリスを結ぶハリス接続部が形成され、前記連結具本体の比重が１〜２とされていることを特徴とする釣糸連結具。
【請求項３】
前記連結具本体が比重調整手段の施された合成樹脂成形体からなる請求項１又は２記載の釣糸連結具。
【請求項４】
連結具本体に、合成樹脂製のミチ糸を結ぶミチ糸接続部とハリスを結ぶハリス接続部が形成され、前記連結具本体が前記ミチ糸と同種の合成樹脂で形成されていることを特徴とする釣糸連結具。
【請求項５】
前記連結具本体には、ハリス接続部からミチ糸接続部に向かって次第に拡がる傾斜部が形成され、且つミチ糸接続部の近傍に水流抵抗部が形成されていることを特徴とする請求項１〜４の何れかに記載の釣糸連結具。
【発明の詳細な説明】
【技術分野】
【０００１】
本発明は、釣り用ミチ糸とハリスを連結する釣糸連結具に関する。
【背景技術】
【０００２】
一般に、魚釣りを行う場合、ミチ糸の先にハリスを結んで仕掛けを作っている。このミチ糸とハリスは、直接結んでもよいが、直結するとハリスや浮きの交換などの際に於ける結び替えによってハリスが短くなっていくことから、通常、ミチ糸とハリスは、釣糸連結具（サルカン、ヨリモドシなどと呼ばれる）を介して結ばれる。かかる釣糸連結具は、金属製の本体の両側に環状体が自転可能に取り付けられた構造からなり、一方の環状体にミチ糸を結び、他方の環状体にハリスを結んで使用される。そして、かかる連結具を用いて作られた仕掛けを海水に投入し、ハリスを潮流に乗せて流し、アタリを浮きで見切って魚釣りが行われる。
しかしながら、従来の釣糸連結具を使用した場合には、仕掛けが潮流に乗ってスムースに流れなかったり、小さなアタリが浮きに反映しないことがあった。
【発明の開示】
【発明が解決しようとする課題】
【０００３】
そこで、本発明は、仕掛けが潮流に乗り易く、又、アタリをミチ糸に正確に伝えることができる釣糸連結具を提供することを課題とするものである。
【課題を解決するための手段】
【０００４】
そこで、本発明者らは、金属製の釣糸連結具を使用した仕掛けに関し、上記問題点について鋭意研究したところ、図９に示すように、水中に於いて釣糸連結具２０の部分が垂れ下がることに原因があることを見出し本発明を完成した。
本発明の第１の手段は、連結具本体にミチ糸を結ぶミチ糸接続部とハリスを結ぶハリス接続部が形成され、連結具本体の比重がミチ糸の比重の０．９〜１．２倍に形成されている釣糸連結具を提供する。また、本発明の第２の手段は、連結具本体にミチ糸を結ぶミチ糸接続部とハリスを結ぶハリス接続部が形成され、連結具本体の比重が１〜２に形成されている釣糸連結具を提供する。さらに、上記連結具本体は比重調整手段の施された合成樹脂成形体によって形成されている。
また、本発明の第３の手段は、連結具本体に合成樹脂製のミチ糸を結ぶミチ糸接続部とハリスを結ぶハリス接続部が形成され、連結具本体がミチ糸と同種の合成樹脂で形成されている釣糸連結具を提供する。
上記各釣糸連結具は、そのミチ糸接続部にミチ糸を結び、ハリス接続部にハリスを結んで仕掛けを作り、海中に投入して使用される。本発明の釣糸連結具によれば、従来の釣糸連結具のように仕掛けが部分的に沈み込むこともなく、ミチ糸から釣糸連結具を介してハリスに至るまで、一本の釣糸のように構成することができる。従って、仕掛けをスムースに潮流に乗せることができ、又、魚のアタリを確実にミチ糸に伝えることができる。
【０００５】
さらに、連結具本体に、ハリス接続部からミチ糸接続部に向かって次第に拡がる傾斜部が形成され、且つミチ糸接続部の近傍に水流抵抗部が形成されている上記釣糸連結具によれば、潮流が水流抵抗部に作用するので、下流側にハリスを向けながら効率よく仕掛けを流すことが可能となる。また、海上に潮流と反対方向の風が吹いていても、仕掛けが潮流に逆らって流されることを防止することができる。
【発明の効果】
【０００６】
本発明の釣糸連結具を用いて作られた仕掛けは、潮流に乗ってスムースに流れやすい。従って、撒き餌を併用した場合には、ハリスの先に設けられた釣り針を撒き餌に同調させて釣りポイントに運ぶことが可能となる。また、仕掛けの途中が部分的に沈み込まないため、仕掛けが弛むことがなく、魚のアタリを正確にミチ糸に伝えることが可能となる。
さらに、ハリス接続部側に傾斜部が形成され且つミチ糸接続部側に水流抵抗部が形成されている釣糸連結具は、潮流の作用を受けてより流れ易く、又、風の影響を受けにくい。
【発明を実施するための最良の形態】
【０００７】
以下、本発明を図面を参照しつつ説明する。
図１及び図２に於いて、１は、釣糸連結具を示す。釣糸連結具１は、ミチ糸の約０．９〜１．２倍程度の比重であり、連結具本体２の一端部２ａに合成樹脂製のミチ糸を結ぶミチ糸接続部３が形成され、且つ他端部２ｂに合成樹脂製のハリスを結ぶハリス接続部５が形成されている。さらに、この連結具本体２には、他端部２ｂから一端部２ａ方向（長手方向）に外形が次第に拡がる傾斜部６が形成され、この傾斜部６の端部に水流抵抗部７が形成されている。具体的には、連結部本体２には、他端部２ｂから一端部２ａ方向（長手方向）に次第に拡径する傾斜面状の傾斜部６がハリス接続部５側に形成されている。さらに、連結具本体２には、この傾斜部６の端部から内側方向であって傾斜部６に対して鋭角な面からなる水流抵抗部７がミチ糸接続部３側に形成されている。より具体的には、連結具本体２は、後述するように合成樹脂の成形体からなり、略三角錐体２１の底面中央部から底面に対して鉛直に棒状体２２が突出した形状に形成されている。この略三角錐体２１の頂部にハリス接続部５が形成され、且つ棒状体２２の先端部にミチ糸接続部３が形成されている。ハリス接続部５は、三角錐体２１の頂部から長手方向に沿って対向形成された一対の溝部５１と、この溝部５１の内端に接し且つ長手方向に直交して穿設されたハリス通し孔５２とから構成されている。また、ミチ糸接続部３は、棒状体２２の先端部から長手方向に沿って対向形成された一対の溝部３１と、この溝部３１の内端に接し且つ長手方向に直交して穿設されたミチ糸通し孔３２とから構成されている。このハリス接続部５とミチ糸接続部３は、連結具本体２の長手軸線上に対向して形成されている。また、傾斜部６は、三角錐体２１の傾斜周面によって構成され、水流抵抗部７は三角錐体２１の底面（棒状体２２を除く）によって構成されている。従って、傾斜部６は、連結具本体２のハリス接続部５側に設けられ、水流抵抗部７は、ミチ糸接続部３の近傍位置に設けられている。
【０００８】
釣糸連結具１を構成する樹脂は特に限定されず、例えば、ポリカーボネイト（ＰＣ）、アクリロニトリルブタジエンスチレン樹脂（ＡＢＳ）、ポリエチレンテレフタレート（ＰＥＴ）、ポリブチレンテレフタレート（ＰＢＴ）などのポリエステル、アクリロニトリルスチレン樹脂（ＡＳ）、６６ナイロンなどのポリアミド（ＰＡ）、ポリエチレン（ＰＥ）、ポリプロピレン（ＰＰ）などのポリオレフィン、２種以上の混合樹脂など各種のものを用いることができる。中でも汎用的で且つ比較的に強度に優れることからポリカーボネイト、ＡＢＳ樹脂、ポリエチレンテレフタレートを用いることが好ましい。
【０００９】
また、釣糸連結具１は、ミチ糸の比重の０．９倍〜１．２倍程度となるように形成されている。一般にミチ糸（及びハリス）の材質としては、ナイロンやカーボンが多用されており、ナイロン製ミチ糸の比重は約１．１３、カーボン製ミチ糸の比重は約１．７８であるから、釣糸連結具１はその比重が約１〜２程度に形成されている。この範囲であれば、ハリスを結んで海水（比重約１．０３程度）に投入しても釣糸連結具１が浮き上がることもない。
ミチ糸の比重に対して釣糸連結具１を０．９〜１．２倍程度に形成する手段として最も簡便なものは、ミチ糸と同種の樹脂を用いて上記釣糸連結具１を成形することが挙げられる。例えば、ナイロン製ミチ糸に使用する場合には、ナイロンを用いて釣糸連結具１を成形すると、両者の比重を略等しくすることができる。また、他の手段としては、ミチ糸と材質が異なるが、比重が比較的近い樹脂（２種以上の混合樹脂を含む）を選定して釣糸連結具１を成形することが挙げられる。例えば、ナイロン製ミチ糸の場合には、ポリカーボネイト（比重約１．２）を用いて釣糸連結具１を成形することなどが例示される。また、ミチ糸と比重が大きく異なる樹脂を用いて釣糸連結具１を形成する場合には、樹脂成分にガラス繊維などの繊維素、タングステン粉などの金属粒などの重さ調整のためのフィラーを混合してミチ糸と略同比重になるように比重調整を行い、これを成形することにより釣糸連結具１を形成することができる。例えば、ナイロン製ミチ糸の場合、ＡＢＳ樹脂（比重約１．０６）１００重量部にガラス繊維を１５重量部程度配合した樹脂組成物を用いて釣糸連結具１を成形することが挙げられる。また、カーボン製ミチ糸の場合、ＡＢＳ樹脂（比重約１．０６）１００重量部にタングステン粉を１．３〜５重量部程度配合した樹脂組成物を用いて釣糸連結具１を成形することが挙げられる。ガラス繊維としては、例えば、径７〜２０μｍ程度のものを用いれることが強度や成形性に優れることから好ましく、タングステン粉などの金属粒の場合には、平均粒径０．５〜４．０μｍ程度のものを用いることが強度に優れることから好ましい。尚、比重は、ＪＩＳ  Ｚ８８０７（水中置換法）に準じたものである。
【００１０】
上記構成からなる釣糸連結具１は、例えば、図３に示すように、ミチ糸接続部３にミチ糸１１を結び、ハリス接続部５にハリス１２を結んで仕掛け１０を作り、海中に投入して使用される。本発明の釣糸連結具１は、その比重がミチ糸の０．９〜１．２倍に形成されているので、従来の釣糸連結具のように、釣糸連結具が部分的に沈みこむこともなく、ミチ糸１１から釣糸連結具１を介してハリス１２に至るまで、一本の釣糸で作成された如く仕掛け１０を構成できるので、仕掛け１０をスムースに潮流に乗せて流すことが可能となる。特に、ミチ糸接続部３の近傍に水流抵抗部７が形成され且つハリス接続部５近傍に傾斜部６が形成されているので、潮流が水流抵抗部７に作用してハリス１２を下流側へ流し、仕掛け１０を効率よく潮流に乗せて流すことが可能となる。よって、潮流に乗って下流側へ流れるコマセと同調して仕掛けを流すことが可能となる。さらに、図示したように、海上の風が潮流と反対方向に吹いている場合であっても、風を受ける浮き１４によって仕掛け１０が潮流と反対に引きずられることも防止できる。
また、釣糸連結具１に於いて仕掛け１０が部分的に垂れ下がらないので、魚がハリス１２の先端の釣り針に食い付いた際の微妙なアタリが途中で消失することがなく、魚のアタリを確実にミチ糸１１に伝えることができる。
【００１１】
尚、本発明は上記実施形態に限定されるものではなく、本発明の意図する範囲で、適宜の構成を付加、代用、設計変更などすることができる。以下、主として上記実施形態と異なる部分を説明し、同様の構成については、用語及び図番を援用し、その説明を省略する。
上記実施形態に於いて、水流抵抗部７は三角錐体２１の底面（棒状体２２の鉛直面）にて構成されているが、例えば図４に示すように、内部側へ入り込むような擂り鉢状に形成されていてもよい。また、傾斜部６は、三角錐体２１の傾斜周面にて構成されているが、例えば図５に示すように、ハリス接続部５に向かうに従い次第に近づく２つの傾斜面６ａによって傾斜部６が構成されていてもよい。
【００１２】
また、水流抵抗部７や傾斜部６を有しない釣糸連結具１でもよい。例えば図６に示すように、細長い棒状体（略直方体状）からなる連結具本体２によって釣糸連結具１が構成されていてもよい。
さらに、上記実施形態に於いて、釣糸連結具１の比重調整手段としては、樹脂成分にその樹脂と比重の異なるフィラーを混合する手段を例示しているが、例えば図７に示すように、連結具本体２の内部であって、連結具本体２の重心を中心にして広がる中空部８（空気室）を設けてもよい。かかる比重調整手段は、釣糸連結具１を構成する樹脂成分が、ミチ糸の比重よりも大きい場合に有効な手段である。また、例えば図８に示すように、連結具本体２の中央部などに、例えば発泡樹脂成形体等からなる浮力体９を固着しても同様に比重調整を行うことができる。また、特に図示しないが、釣糸連結具１を構成する樹脂成分がミチ糸の比重よりも小さい場合には、連結具本体２の内部であって、連結具本体２の重心部分などに錘部を埋設したり、或いは連結具本体２の外面の一部分に錘部を固着する手段によって、釣糸連結具１の比重をミチ糸の０．９〜１．２倍に調整することも可能である。
【００１３】
また、ミチ糸接続部３及びハリス接続部５は、例えば溝部を有しない構造でもよく、ミチ糸やハリスが結ぶことができる構造であれば溝部及び／又は通し孔を有しない構造も可能である。
尚、釣糸連結具１を構成する樹脂成分に着色剤を添加して色を付けると、使用時に、釣糸連結具１を視認することができるので好ましい。
【実施例】
【００１４】
以下、実施例を示して本発明を更に詳述する。但し、本発明は、下記実施例に限定されるものではない。
実施例１
ＡＢＳ樹脂１００重量部に、ガラス繊維１５重量部、及び適宜添加剤を加えてミキサーで混練し、射出成形機で、図６に示す形状の釣糸連結具を作成した。この釣糸連結具の比重は、１．２５であった。尚、連結具の長さＬ×幅Ｗ×厚みＤは１２ｍｍ×３．２ｍｍ×１．８３ｍｍであり、通し孔の直径Ｍは１．６ｍｍに形成した。
実施例２
ＡＢＳ樹脂１００重量部に、タングステン粉４．６重量部、及び適宜添加剤を加えてミキサーで混練し、実施例１と同形状の連結具を作成した。この釣糸連結具の比重は、１．９であった。
比較例
市販の金属製サルカン（８号）を使用した。
【００１５】
実施例１、２で得られた釣糸連結具及び比較例のサルカンに、それぞれナイロン製のミチ糸（２号、（株）デュエル製、商品名：Ｘ−ＣＯＭＰＯ）と、先端部に釣り針を付けたナイロン製のハリス（１．５号、（株）デュエル製、商品名：ＯＶＥＲ  ＫＮＯＴ）とを結んで仕掛けを作り、海水を入れた実験用水槽内に投入し、ポンプで水中に弱い水流を起こしたところ、実施例１及び２の仕掛けは、釣糸連結具が垂れ下がることなく、仕掛け全体がなだらかな曲線を描きながら水流の下流側に流された。一方、比較例の仕掛けは、サルカン部分が下方に垂れ下がり、仕掛けの流れる速さが、実施例のものに比して明らかに遅かった。
【図面の簡単な説明】
【００１６】
【図１】（ａ）は、本発明の釣糸連結具を示す正面図、（ｂ）は、同右側面図。
【図２】（ａ）は、図１のＡ−Ａ線断面図、（ｂ）は、図１のＢ−Ｂ線断面図。
【図３】同釣糸連結具の使用状態を示す参考図。
【図４】釣糸連結具の変形例を示す長手方向線に於ける断面図。
【図５】（ａ）は、釣糸連結具の変形例を示す右側面図、（ｂ）は、Ｃ−Ｃ線断面図、（ｃ）は、Ｄ−Ｄ線断面図。
【図６】（ａ）は、釣糸連結具の変形例を示す正面図、（ｂ）は、同右側面図。
【図７】（ａ）は、釣糸連結具の変形例を示す正面図、（ｂ）は、Ｅ−Ｅ線断面図。
【図８】（ａ）は、釣糸連結具の変形例を示す正面図、（ｂ）は、Ｆ−Ｆ線断面図。
【図９】従来の釣糸連結具の使用状態を示す参考図。
【符号の説明】
【００１７】
１…釣糸連結具、２…連結具本体、２１…三角錐体、２２…棒状体、３…ミチ糸接続部、５…ハリス接続部、６…傾斜部、７…水流抵抗部、８…中空部、９…浮力体、１０…仕掛け、１１…ミチ糸、１２…ハリス、２０…従来の釣糸連結具（サルカン）
【図１】
2005192507.tif 000003
【図２】
2005192507.tif 000004
【図３】
2005192507.tif 000005
【図４】
2005192507.tif 000006
【図５】
2005192507.tif 000007
【図６】
2005192507.tif 000008
【図７】
2005192507.tif 000009
【図８】
2005192507.tif 000010
【図９】
2005192507.tif 000011